(57)【要約】      （修正有）【課題】現場でＵ字溝用のコンクリート製甲蓋を成型するための型枠を容易かつ安全に運搬するための収納具を提供する。【解決手段】平置きされた長方形状の金属製底板と相対する２枚の帯状の金属製のバンドＡ（１）及びバンドＢ（２）がそれぞれ蝶番パイプ４で連結された基本体において、バンドＡ及びバンドＢが蝶番パイプを中心として回転する構造になっており、４本のＵ字溝用コンクリート製甲蓋成型用の型枠６を底板の上に載せてバンドＡ及びバンドＢを内側方向に回転させて上部が腹合わせするように当接させてキャッチクリップ５で固定し、バンドＡ及びバンドＢの上方部の手掛け用窓８に４本指を差し込んで運搬できるように構成した。【選択図】図１
0003209427.tif 000002
【実用新案登録請求の範囲】
【請求項１】
平置きされた長方形状の金属製底板４と相対する２枚の帯状の金属製のバンドＡ１及びバンドＢ２がそれぞれ蝶番パイプ４で連結された基本体において、前記バンドＡ１及び前記バンドＢ２が前記蝶番パイプ４を中心として回転する構造になっており、４本のコンクリート製甲蓋成型用の型枠６を底板４の上に載せて前記バンドＡ１及び前記バンドＢ２内側方向に回転させて上部が腹合わせするように当接させ、かつキャッチクリップ５で固定できるようにし、さらに前記バンドＡ１及び前記バンドＢ２の上方部に４本指を差し込める手掛け用窓８を設けて運搬できるように構成したＵ字溝用コンクリート製甲蓋成型型枠の収納具。
【請求項２】
請求項１に記載のＵ字溝用コンクリート製甲蓋成型型枠の収納具において、バンドＡ１の手掛け用窓８の右側及び左側にピン９を、バンドＢ２の手掛け用窓８の右側及び左側にピン受け用穴１０を設けて、キャッチクリップ５で固定した時にピン９とバンドピン受け用穴１０が嵌合して、Ａ１とバンドＢ２が上下にずれないようにしたＵ字溝用コンクリート製甲蓋成型型枠の収納具。
【請求項３】
請求項１に記載のＵ字溝用コンクリート製甲蓋成型型枠において、バンドＡ１とバンドＢ２の手掛け用窓８の上部の手持ち用曲げ部７が、Ｒ状に折り曲げられ、運搬時に手掛け用窓８に挿入した指との接触面積を増やして持ちやすくしたＵ字溝用コンクリート製甲蓋成型型枠の収納具。
【考案の詳細な説明】
【技術分野】
【０００１】  本考案は、現場でＵ字溝用コンクリート製甲蓋を成型するための型枠を納める収納具に関するものであり、特に、収納性及び可搬性を高めたＵ字溝用コンクリート製甲蓋成型型枠の収納具に関する。
【背景技術】
【０００２】  従来のＵ字溝用コンクリート製甲蓋成型用の型枠は、工事現場とは別の生産現場において使用する想定で製作されており、収納性・可搬性の高い収納具は見当たらない。もし、現場に運搬したい場合には、ロープで縛ったりすることになるが、嵩張ったり運搬中にガタガタしたり、場合によっては構成部品が変形・破損する危険性もありうる。
【先行技術文献】
【特許文献】
【０００３】
【特許文献１】特開平９−３１７１７３
【考案の概要】
【考案が解決しようとする課題】
【０００４】  本考案の目的は、工事現場でＵ字溝のコンクリート製甲蓋を成型するための型枠を容易かつ安全に運搬するための収納具を提供することであり、現場までの運搬時に嵩張らず、ガタガタせず、構成部品が変形・破損する危険性のない収納具を提供することである。
【課題を解決するための手段】
【０００５】  本考案の収納具は、床に平に置かれた長方形状の金属製底板と相対する２枚の帯状の金属製のバンドＡ及びバンドＢがそれぞれ蝶番パイプで連結された基本体において、バンドＡ及び前記バンドＢが蝶番パイプを中心として回転する構造になっており、４本のコンクリート製甲蓋成型用の型枠を底板の上に載せてバンドＡ及びバンドＢ内側方向に回転させて上部が腹合わせするように当接させ、かつキャッチクリップ５で固定できるようにし、さらにバンドＡ及びバンドＢの上端部に４本指を差し込める手掛け用窓を設けて運搬できるように構成して上記課題を解決している。【０００６】  さらに、Ｕ字溝用コンクリート製甲蓋成型型枠の収納具において、バンドＡの手掛け用窓の右側及び左側にピンを、バンドＢの手掛け用窓の右側及び左側にピン受け用穴を設けて、キャッチクリップで固定した時にバンドＡとバンドＢが上下にずれないようにコンクリート製甲蓋成型型枠の収納具を構成する。【０００７】  Ｕ字溝用コンクリート製甲蓋成型型枠の収納具において、バンドＡとバンドＢの手掛け用窓の上部の手持ち用曲げ部がＲ状に折り曲げられ、運搬時に手掛け用窓に挿入した指との接触面積を増やして持ちやすいように構成する。
【考案の効果】
【０００８】  本考案の型枠用の収納具によって、２枚の帯状の金属製の縦側板と２枚の横側板が現場に容易に運搬できて組立・分解できることによって、Ｕ字溝用コンクリート製甲蓋の成型が大幅に効率化できる。【０００９】  また、バンドＡの手掛け用窓の右側及び左側にピンを、バンドＢの手掛け用窓の右側及び左側にピン受け用穴を設けて、キャッチクリップで固定した時に嵌合させることにより、バンドＡとバンドＢが上下にずれないようにし、嵩張らず、ガタガタせず、構成部品が変形・破損することなく運搬できるようになる。【００１０】  さらに、Ｕ字溝用コンクリート製甲蓋型枠の収納具において、バンドＡとバンドＢの手掛け用窓の上部の手持ち用曲げ部がＲ状に折り曲げられ、運搬時に手掛け用窓に挿入した指との接触面積を増やして持ちやすくしたことにより、より安全に運搬できるようになる。
【図面の簡単な説明】
【００１１】
【図１】本考案の実施例に関する組み立て図（立体図／収納状態）である。
【図２】本考案の実施例に関する平面図（Ａ）、側面図（Ｂ）、正面図（Ｃ）である。
【図３】本考案の実施例の収納具の締め付けに用いるキャッチクリップの図である。
【図４】本考案の実施例に関する固定状態と開放状態（想像線）の図である。
【図５】本考案の実施例の、ピンとピン受け用穴の嵌合部の図である。
【考案を実施するための形態】
【００１２】  本考案の実施の形態を以下図１から図５に従って説明する。
【００１３】  図１は金属製底板４上に収納対象の４本のＵ字溝用コンクリート製甲蓋成型用の型枠６（想像線）を載せて収納し、キャッチクリップ５で固定した状態の立体図であり、相対する２枚の帯状の金属製のバンドＡ１及びバンドＢ２がそれぞれ蝶番パイプ４で連結された基本体において、バンドＡ１及びバンドＢ２が蝶番パイプ４を中心として回転する構造になっており、バンドＡ１及びバンドＢ２を内側方向に回転させて上部が腹合わせするように当接させ、かつ図３のキャッチクリップ５で固定する。バンドＡ１及びバンドＢ２の上端部には４本指を差し込める手掛け用窓８を設けて、運搬できるように構成されている。
【００１４】  図５はピン９とピン受け用穴１０の嵌合部の図であり、バンドＡ１の手掛け用窓８の右側及び左側にピン９を、バンドＢ２の手掛け用窓８の右側及び左側にピン受け用穴１０を設けて固定時に嵌合させ、キャッチクリップ５で固定した時にバンドＡ１とバンドＢ２が上下にずれないようにする。
【００１５】  図２（Ｃ）は収納具の正面図であり、バンドＡ１とバンドＢ２の上端部の手持ち用曲げ部７がＲ状に折り曲げられており、運搬時に手掛け用窓８に挿入した指との接触面積を増やして持ちやすくしてある。
【符号の説明】
【００１６】  １…バンドＡ、２…バンドＢ、３…底板、４…蝶番パイプ、５…キャッチクリップ、６…可変型枠、７…手持ち用曲げ部、８…手掛け用窓、９…ピン、１０…ピン受け用穴
【図１】
0003209427.tif 000003
【図２】
0003209427.tif 000004
【図３】
0003209427.tif 000005
【図４】
0003209427.tif 000006
【図５】
0003209427.tif 000007